(57)【要約】      （修正有）【課題】本のジャンル別，作者別等の整理が簡易且つ容易にできるものとなり、タイトルおよびコメント欄を記載することで、後日必要なときに必要なページを素早く開くことができるブックカバーを提供する。【解決手段】ポリプロピレン等の不透明な合成樹脂フィルムまたはシートをもって図柄入り・図柄なしにて本にカバー掛けするブックカバー１を形成し、ブックカバー１の表紙の適所に本のタイトルを記入したカードを入れるタイトルポケット３を取付け、裏表紙の適所に本の購入動機，読後の感想等を記載したコメントカード類を入れるコメントカードポケット４を設け、背表紙の上部に本をジャンル別に色分けして表示する有色識別ラベル・有色識別シール６の貼付けと本のタイトルを書込み可能とするスペースを設け、ブックカバー１の背表紙２を挟んだ両側の内面に本の表紙と裏表紙を差込み止めする差込みポケット７ａ，７ｂを設けたことを特徴とする。【選択図】図１
0003143728.tif 000002
【実用新案登録請求の範囲】
【請求項１】
ポリプロピレン等の不透明な合成樹脂フィルムまたはシートをもって図柄入り・図柄なしにて本にカバー掛けするブックカバーを形成し、該ブックカバーの表紙の適所に本のタイトルを記入したカードを入れるタイトルポケットを取付け、裏表紙の適所に本の購入動機，読後の感想等を記載したコメントカード類を入れるコメントカードポケットを設け、背表紙の上部に本をジャンル別に色分けして表示する有色識別ラベル・有色識別シールの貼付けと本のタイトルを書込み可能とするスペースを設け、該ブックカバーの背表紙を挟んだ両側の内面に本の表紙と裏表紙を差込み止めする差込みポケットを設けたことを特徴とするブックカバー。
【請求項２】
ブックカバーは新書刊・文庫本などの大きさ別に形成する請求項１に記載のブックカバー。
【請求項３】
タイトルポケットとコメントカードポケットの一方または双方を手書き可能なスペース面とする請求項１または２に記載のブックカバー。
【請求項４】
一方の差込みポケットを内折りして本に粘着する剥離紙付の粘着面とする請求項１乃至３のいずれかに記載のブックカバー。
【請求項５】
差込みポケットの表出面は、広告等の印字可能面とする請求項１乃至４のいずれかに記載のブックカバー。
【考案の詳細な説明】
【技術分野】
【０００１】
本考案はブックカバーに関するものである。
【背景技術】
【０００２】
書店で本を購買すると書店名の入った包装紙ようのブックカバーにてページめくりすることができるようにカバー掛けして渡してくれる。
特開平２０００−１７７２６８号公報はブックカバーの背表紙の部分に白色の題名記載部を設けて、本の題名を記載するようにしている。
【特許文献１】特開平２０００−１７７２６８号公報
【考案の開示】
【考案が解決しようとする課題】
【０００３】
雑誌は別にして多くの本は購読後も廃棄せずに保管したり、年を経た後に再読することがあり、また友人、家族などに渡して再読されることもある。
書店における購入本のカバー掛けは本を汚さないけれども、本がかくれてわからなくなるために時日が経過するとブックカバーをはずすことが多く、また前掲公報のブックカバーは本の題名の記入欄があることで本の題名はわかるけれども、購買動機，読後の感想などを記載し置く個所がないなど使い勝手のよさに欠けるという課題があった。
【課題を解決するための手段】
【０００４】
本考案は、ブックカバーの裏表紙に本の購入動機，読後のコメント等を記入したコメントカードを入れ置くコメントカードポケット、背表紙に本をジャンル別に色分けして表示する有色の識別ラベル・シールの貼付スペースを設けることで、本をカバー掛けするにかかわらず、内容を末長く外からわかるようにして、かかる課題を解決したのである。
【考案の効果】
【０００５】
本考案のブックカバーは、表紙に本のタイトルがわかるタイトルポケットまたは手書きスペース、裏表紙にコメントカードポケットまたは手書きスペース、背表紙にタイトル書込みと色分けした有色の識別ラベル・識別シールを貼付するスペースを設けたので、ブックカバーを掛けた本を外側からすべて見られるものになるという効果を生ずる。またブックカバーの外しがなくなるので本の汚れと劣化を防止することができるという効果を生ずる。タイトルポケット，コメントカードポケットに、記載カードを入替えるなど所要の替えをすることで別の本のカバー掛けとして利用することもできるという効果を生ずる。
【０００６】
有色識別ラベル・識別シールを利用することで、本のジャンル別，作者別等の整理が簡易且つ容易にできるものとなり、タイトルおよびコメント欄を記載することで、後日必要なときに必要なページを素早く開くことができるほか、友人，家族などにプレゼントすることができるという効果を生ずる。
【０００７】
一方の差込みポケットを剥離紙付の粘着面とすることで、本が厚薄してもずれ動き，はずれ落ちすることなしに体裁よくカバー掛けすることができるという効果を生ずる。
【０００８】
差込みポケットの表出面を広告面として活用することで、ブックカバーの製作，販売費を廉価にすることができるという効果を生ずる。
【考案を実施するための最良の形態】
【０００９】
本考案はポリプロピレン等の不透明な合成樹脂フィルムまたはシートをもって図柄入り・図柄なしにて本にカバー掛けするブックカバーを形成し、該ブックカバーの表紙の適所に本のタイトルを記入したカードを入れるタイトルポケットを取付け、裏表紙の適所に本の購入動機，読後の感想等を記載したコメントカード類を入れるコメントカードポケットを設け、背表紙の上部に本をジャンル別に色分けして表示する有色識別ラベル・有色識別シールの貼付けと本のタイトルを書込み可能とするスペースを設け、該ブックカバーの背表紙を挟んだ両側の内面に本の表紙と裏表紙を差込み止めする差込みポケットを設けて、ブックカバーを掛けたままで本を保管することで汚れと劣化を防止し、しかも外側から内容が理解できるようにしたのである。
【実施例１】
【００１０】
図１，図２は第１実施例を示すもので、不透明なポリプロピレン等の印刷可能な合成樹脂フィルムにて表側一面に柄印刷Ｐをしたブックカバー１を形成する。ブックカバー１は中央の背表紙２を挟んで表紙側の上部中央に、矩形で透明なフィルムを上辺を開口して接着してタイトルカード３ａを入れるタイトルポケット３を形成し、裏表紙側の下方にコメントカード４ａを入れるための同様に透明なタイトルカードポケット４を形成する。背表紙２の上部にシルクプリントなどにて乳白色をしてタイトルの書込みを可能とする縦四角形のスペース５を形成し、別途形成する色分けした有色識別ラベルまたは有色識別シール６を貼付できるようにしている。ブックカバー１の両側内面に端部の折返しと上下縁の接着とにて本の表紙と裏表紙を差込み止めする差込みポケット７ａ，７ｂを形成する。なおブックカバー１は新書刊，文庫本など版の大きさに合わせた数種類にて形成するのである。
【００１１】
ブックカバー１を使用するときは、本Ｂの表紙Ｂ１と裏表紙Ｂ２をブックカバー１の内面からそれぞれ差込みポケット７ａ，７ｂに差込み止めし、タイトルカード３ａにタイトルを記入してタイトルポケット３に入れ、スペース５にタイトルを記入し、さらにジャンル別，作者別等にて決めた色の有色識別ラベル６を剥離台紙６ａから剥がして背表紙２のスペース５に貼付するのである。この時点でコメントカード４ａに購入日，購入動機などを記入しておいてコメントカードポケット４に入れるようにしてもよい。
読了後、コメントカード４ａに読後の感想，重要項目の引用やそのページなどを記載してコメントカートポケット４に入れ、ブックカバー１を掛けたまま本棚，収納ケースなどに保管するのである。カバー掛けしたまま保管するので、本Ｂは長期に亘って汚れたり色あせて劣化したりすることなくして保管することができるものとなる。
後日、再読または家族，友人などにプレゼントするために本Ｂを探すときは、ブックカバー１は掛けたままで、有色識別ラベル６によるジャンル，作者などの選別とタイトルを確認することができ、さらにコメントカード４ａに記載したデータにより内容も即座に確認することができる。
【００１２】
有色識別ラベル，シール６は使用者の意図にて、歴史物，推理物，恋愛物，活劇物等々の各種のジャンル別または好みの作者の色を決めるなどして細かく分類ができるように多数の色分けにて形成し、剥離台紙６ａより剥がしてスペース５の上部などに貼るのである。ラベル，シール６は四角形，丸形，星形など形状は自由であり、形によってジャンル分別用と作者別用などに使い分け、これら数枚を組合わせて使用することもできる。なおブックカバー表面の柄印刷Ｐは対象年齢別，男女別等のあらゆる人のニーズに応える多種のデザインが可能である。
【実施例２】
【００１３】
図３はタイトルポケット，コメントカードポケットの形成にかえて鉛筆，ボールペンなどによって手書きすることが可能なタイトルスペース１３，コメントスペース１４をシルクプリントなどの印刷によって形成した例を示すものである。透明なフィルムによるポケットの形成をなくすことで、材料と工程を省略してブックカバー１のコストを低減することができるものとなる。
【実施例３】
【００１４】
図４はブックカバー１の一方の差込みポケットのかわりに、端部を内折りして本Ｂに粘着する剥離紙８ａ付の粘着面８とした実施例を示すもので、かくすることで本Ｂへの粘着位置の調整が自由となって、本Ｂが厚薄してもブックカバー１の端部に余りを作らず本Ｂに合わせて体裁よくカバー掛けをすることができて、ずれ動き，はずれ落ちも生じないものとなる。粘着面８は粘着強度を調整して繰返しの粘着を可能にし、剥がしたときには粘着汚れが残らないようにしている。
【実施例４】
【００１５】
図５は第４実施例で、差込みポケット７ａ，７ｂの表出面を広告等の印刷ができる印字可能面９に形成し、企業のコマーシャル，団体等の活動宣伝などを印刷することができるようにしたのである。広告宣伝面として活用することでブックカバー１の製作，販売費を廉価にすることができる。広告を載せる印字可能面９は見返しによって本Ｂを開くたびに目を引くことで強い宣伝効果を発揮するものとなる。知的イメージの大きい本との相乗効果により広告主の企業，団体等のイメージアップも期待される。キャンペーン販促品として利用するときは、企業は安価なコマーシャル手段を得、購買者は便利なブックカバーを得ることで、双方にメリットを生ずるものとなる。
【００１６】
なお、本考案のブックカバー１は本だけでなくノートカバー用に形成して利用することもできる。カバー掛けにてノートの汚れを防止するとともに、タイトルカード３ａまたはタイトルスペース１３に科目など、コメントカード４，コメントスペース１４に概要等を記入し、有色識別ラベル，シール６の貼付で識別整理することによりノートの管理が便利に行えるものとなる。
【産業上の利用可能性】
【００１７】
本考案のブックカバーは掛けたままの保管によって本の汚れと劣化を防止し、カバー掛けしたままで外から内容を確認することができ、さらに広告媒体としても活用することができる有用なブックカバーとして広く利用することができるものである。
【図面の簡単な説明】
【００１８】
【図１】ブックカバーの１実施例を表側と内側からみた正面図
【図２】同、本にカバー掛けした状態にて示す斜視図
【図３】タイトルスペース，コメントスペースをプリント形成した実施例を示す正面図
【図４】一方の差込みポケットにかえて粘着面を形成した実施例を示す正面図と、厚い本，薄い本にカバー掛けしつつある状態を示す平面図
【図５】差込みポケットの表出面を印字可能面にして広告を印刷した実施例を示す正面図
【符号の説明】
【００１９】
１はブックカバー
２は背表紙
３はタイトルポケット
３ａタイトルカード
４はコメントカードポケット
４ａはコメントカード
５はスペース
６は有色識別ラベル，有色識別シール
６ａは剥離台紙
７ａ，７ｂは差込みポケット
８は粘着面
８ａは剥離紙
９は印字可能面
１３はタイトルスペース
１４はコメントスペース
Ｂは本
Ｂ１，Ｂ２は表紙，裏表紙
Ｐは柄印刷
【図１】
0003143728.tif 000003
【図２】
0003143728.tif 000004
【図３】
0003143728.tif 000005
【図４】
0003143728.tif 000006
【図５】
0003143728.tif 000007